(57)【特許請求の範囲】
【請求項１】
被取付部材に形成された取付孔にコネクタを取り付けるマイクユニットのコネクタ取付構造であって、
前記取付孔に挿通される軸部を有し、前記軸部の基端側に順ネジ及び逆ネジの一方のネジからなる第１の雄ネジ部が形成され、且つ前記軸部の先端側に順ネジ及び逆ネジの他方のネジからなる第２の雄ネジ部が形成されるコネクタ本体と、
前記被取付部材の一方側に設けられ、前記第１の雄ネジ部に螺合する第１の雌ネジ部を有し、前記被取付部材に対して前記コネクタ本体を位置決めする位置決めナットと、
前記被取付部材の他方側に設けられ、前記第２の雄ネジ部に螺合する第２の雌ネジ部を有し、前記被取付部材に対して前記コネクタ本体を固定する固定ナットと、
を備えるマイクユニットのコネクタ取付構造。
【請求項２】
前記位置決めナットは、前記被取付部材の一方側の端面に係合する楔状の係合突起を有する請求項１に記載のマイクユニットのコネクタ取付構造。
【請求項３】
前記係合突起は、前記位置決めナットの周方向の異なる位置に複数設けられている請求項２に記載のマイクユニットのコネクタ取付構造。
【請求項４】
前記位置決めナットの前記被取付部材の一方側の端面には、前記位置決めナットよりも高い摩擦係数を有する高摩擦部材が設けられている請求項１に記載のマイクユニットのコネクタ取付構造。
【請求項５】
前記軸部に挿通され、前記位置決めナットの前記被取付部材とは反対側において前記位置決めナットを位置決めする位置決めスペーサを備える請求項１〜４のいずれか１項に記載のマイクユニットのコネクタ取付構造。
【請求項６】
前記コネクタ本体には、前記軸部の周方向の位置を示す指標が設けられている請求項１〜５のいずれか１項に記載のマイクユニットのコネクタ取付構造。
【請求項７】
前記コネクタ本体には、双指向性マイクを装着する装着部が設けられている請求項１〜６のいずれか１項に記載のマイクユニットのコネクタ取付構造。
【請求項８】
中空状に形成されたボディと、前記ボディに形成されたサウンドホールと、前記ボディに一端が取り付けられたネックと、前記ネックの他端に取り付けられたヘッドと、前記ヘッド及び前記ボディの間に張架された弦とを有する弦楽器であって、
前記ボディの内部に配設され、前記ボディの内部で共鳴する楽音を集音する双指向性マイクと、
前記ボディに形成された取付孔に取り付けられ、前記双指向性マイクと一体的に設けられたコネクタと、を備え、
前記コネクタは、
前記取付孔に挿通される軸部を有し、前記軸部の基端側に順ネジ及び逆ネジの一方のネジからなる第１の雄ネジ部が形成され、且つ前記軸部の先端側に順ネジ及び逆ネジの他方のネジからなる第２の雄ネジ部が形成されるコネクタ本体と、
前記ボディの内側に設けられ、前記第１の雄ネジ部に螺合する第１の雌ネジ部を有し、前記ボディに対して前記コネクタ本体を位置決めする位置決めナットと、
前記ボディの他方側に設けられ、前記第２の雄ネジ部に螺合する第２の雌ネジ部を有し、前記ボディに対して前記コネクタ本体を固定する固定ナットと、
を備える弦楽器。
【請求項９】
前記位置決めナットは、前記ボディの内側の端面に係合する楔状の係合突起を有する請求項８に記載の弦楽器。
【請求項１０】
前記係合突起は、前記位置決めナットの周方向の異なる位置に複数設けられている請求項９に記載の弦楽器。
【発明の詳細な説明】
【技術分野】
【０００１】
本発明は、マイクユニットのコネクタ取付構造及び弦楽器に係り、特に被取付部材に形成された取付孔にコネクタを取り付けるマイクユニットのコネクタ取付構造及び弦楽器に関するものである。
【背景技術】
【０００２】
一般に、ウクレレやアコースティックギターなどの弦楽器は、弦の振動を元にして、駒を通して、共鳴板である表板に振動を伝え、さらにサウンドホールを有する共鳴胴で共鳴させ豊かな音色を発している。そのため、弦や表板をはじめとする楽器を構成する材質、共鳴胴の、形状や構造の違いで個々の楽器ごとにそれぞれ違った音色を奏でる。ところが、電気的な増幅装置を持たないこれらの楽器の音量は十分とは言えず、コンサートホールなどの広い会場でライブ演奏をする場合には、マイクを用いて集音して増幅することで、音量を大きくすることが行われている。しかし、マイクで弦楽器の楽音を集音すると、他の楽器の音を拾ってしまったり、ハウリングをしてしまったりすることがある。また、マイクの位置がステージ上に固定されていると、演奏者がステージ上で動き回りながら演奏する場合には弦楽器の楽音をとらえることができないこともある。
【０００３】
一方、弦楽器の胴（共鳴胴）を構成する共鳴板にピエゾピックアップ（圧電ピックアップ）を取り付け、ピエゾピックアップにより弦振動を電気信号に変換し、この電気信号を増幅することで音量を大きくする方法が知られている。しかし、ピエゾピックアップを用いた方法では、箱鳴りと呼ばれる胴による共鳴音を十分に拾うことができず、出力される音は薄っぺらで無機質な音になってしまうという問題がある。
【０００４】
かかる問題に対し、弦楽器の胴による共鳴音を再現できるようにすべく、ピエゾピックアップを用いて得られる電気信号に対して各種効果を付加する技術が提案されている（例えば、特許文献１〜３参照）。
【先行技術文献】
【特許文献】
【０００５】
【特許文献１】特開２００３−１５６４４号公報
【特許文献２】特開２００５−２４９９７号公報
【特許文献３】特開２００９−１６２９９７号公報
【発明の概要】
【発明が解決しようとする課題】
【０００６】
しかしながら、特許文献１〜３に開示される技術では、ピエゾピックアップにより検出される弦の振動をある程度自然な音に加工することができるものの、胴の共鳴音を忠実に再現することはできない。また、ピエゾピックアップを用いて弦の振動を検出するためには、弦楽器のもっとも重要な部分に対してピエゾピックアップを取り付けなればならず、楽器本来の音色に悪影響を与えかねない。
【０００７】
そこで、本願出願人は、弦楽器を構成するボディ（共鳴胴）の内部に双指向性マイクを備え、双指向性マイクの指向軸がサウンドホールの開口する面に対して平行かつサウンドホールが形成される方向に対して垂直な方向となる構成を提案した（特願２０１４−９７９８８、本願出願時は未公開）。この構成によれば、サウンドホールからボディ内に侵入する音に対する感度が低くなり、ハウリングを効果的に抑えることが可能となる。
【０００８】
かかる構成においては、双指向性マイクを備えるマイクユニットは、ボルトとナットの締結によって被取付部材であるボディに形成された取付孔にコネクタが固定される。しかし、この固定力が弱いと、マイクユニットが軸周りに回転してしまい、双指向性マイクの指向軸が所望の方向からずれてしまい、ハウリング抑制効果が十分に得られなくなる場合がある。
【０００９】
本発明は、このような事情に鑑みてなされたもので、被取付部材に形成された取付孔に対してコネクタを安定かつ確実に固定することができるマイクユニットのコネクタ取付構造及び弦楽器を提供することを目的とする。
【課題を解決するための手段】
【００１０】
上記目的を達成するために、本発明の第１態様に係るマイクユニットのコネクタ取付構造は、被取付部材に形成された取付孔にコネクタを取り付けるコネクタ取付構造であって、取付孔に挿通される軸部を有し、軸部の基端側に順ネジ及び逆ネジの一方のネジからなる第１の雄ネジ部が形成され、且つ軸部の先端側に順ネジ及び逆ネジの他方のネジからなる第２の雄ネジ部が形成されるコネクタ本体と、被取付部材の一方側に設けられ、第１の雄ネジ部に螺合する第１の雌ネジ部を有し、被取付部材に対してコネクタ本体を位置決めする位置決めナットと、被取付部材の他方側に設けられ、第２の雄ネジ部に螺合する第２の雌ネジ部を有し、被取付部材に対してコネクタ本体を固定する固定ナットと、を備える。
【００１１】
本発明の第２態様に係るマイクユニットのコネクタ取付構造は、第１態様において、位置決めナットは、被取付部材の一方側の端面に係合する楔状の係合突起を有する。
【００１２】
本発明の第３態様に係るマイクユニットのコネクタ取付構造は、第２態様において、係合突起は、位置決めナットの周方向の異なる位置に複数設けられている。
【００１３】
本発明の第４態様に係るマイクユニットのコネクタ取付構造は、第１態様において、位置決めナットの被取付部材の一方側の端面には、位置決めナットよりも高い摩擦係数を有する高摩擦部材が設けられている。
【００１４】
本発明の第５態様に係るマイクユニットのコネクタ取付構造は、第１態様ないし第４態様のいずれかにおいて、軸部に挿通され、位置決めナットの被取付部材とは反対側において位置決めナットを位置決めする位置決めスペーサを備える。 
【００１５】
本発明の第６態様に係るマイクユニットのコネクタ取付構造は、第１態様ないし第５態様のいずれかにおいて、コネクタ本体には、軸部の周方向の位置を示す指標が設けられている。
【００１６】
本発明の第７態様に係るマイクユニットのコネクタ取付構造は、第１態様ないし第６態様のいずれかにおいて、コネクタ本体には、双指向性マイクを装着する装着部が設けられている。
【００１７】
本発明の第８態様に係る弦楽器は、中空状に形成されたボディと、ボディに形成されたサウンドホールと、ボディに一端が取り付けられたネックと、ネックの他端に取り付けられたヘッドと、ヘッド及びボディの間に張架された弦とを有する弦楽器であって、ボディの内部に配設され、ボディの内部で共鳴する楽音を集音する双指向性マイクと、ボディに形成された取付孔に取り付けられ、双指向性マイクと一体的に設けられたコネクタと、を備え、コネクタは、取付孔に挿通される軸部を有し、軸部の基端側に順ネジ及び逆ネジの一方のネジからなる第１の雄ネジ部が形成され、且つ軸部の先端側に順ネジ及び逆ネジの他方のネジからなる第２の雄ネジ部が形成されるコネクタ本体と、ボディの内側に設けられ、第１の雄ネジ部に螺合する第１の雌ネジ部を有し、ボディに対してコネクタ本体を位置決めする位置決めナットと、ボディの他方側に設けられ、第２の雄ネジ部に螺合する第２の雌ネジ部を有し、ボディに対してコネクタ本体を固定する固定ナットと、を備える。
【００１８】
本発明の第９態様に係る弦楽器は、第８態様において、位置決めナットは、ボディの内側の端面に係合する楔状の係合突起を有する。
【００１９】
本発明の第１０態様に係る弦楽器は、第９態様において、係合突起は、位置決めナットの周方向の異なる位置に複数設けられている。
【発明の効果】
【００２０】
本発明によれば、コネクタ本体の軸部を固定ナット及び位置決めナットに対して相対的に回転させると固定ナットと位置決めナットとは互いに近づく方向に移動するので、被取付部材に対してコネクタを安定かつ確実に固定することができる。
【図面の簡単な説明】
【００２１】
【図１】本発明が適用される弦楽器の構成例を示した外観図
【図２】図１に示した弦楽器の平面図
【図３】双指向性マイクの指向特性を示した図
【図４】プリアンプユニットの構成を示すブロック図
【図５】傾斜フィルタの周波数特性を示した図
【図６】ノッチフィルタの周波数特性を示した図
【図７】マイクユニットの構成を示した外観図
【図８】マイクユニットを構成するコネクタの構成を示した外観図
【図９】図８に示したマイクコネクタの分解斜視図
【図１０】弦楽器の他の構成例を示した外観図
【図１１】図１０に示した弦楽器の側面図
【発明を実施するための形態】
【００２２】
以下、添付図面に従って本発明の好ましい実施の形態について詳説する。
【００２３】
図１は、本発明が適用される弦楽器の構成例を示した外観図である。図２は、図１に示した弦楽器の平面図である。
【００２４】
図１及び図２に示すように、弦楽器１０は、例えばウクレレやアコースティックギターなどの弦楽器（アコースティック楽器）からなり、表板２０、側板２２、及び裏板２４によって中空状に形成されたボディ（共鳴胴）１２と、ボディ１２に連結されたネック１４とを備えて構成される。ネック１４の先端には、弦１８の先端側（始端）を巻き付けて弦１８の張力を調節可能なペグ（糸巻）２６が複数個取り付けられたヘッド１６が設けられている。ボディ１２を構成する表板２０は共鳴板として機能するものである。表板２０には、弦１８の後端を固定するためのブリッジ２８が取り付けられており、弦１８の後端はブリッジ２８に開けられた穴もしくは溝（不図示）に固定されている。
【００２５】
ネック１４には、金属製のフレット３０が特定の間隔で埋め込まれた指板３２が取り付けられている。指板３２の先端には、複数の弦１８を所定の間隔に揃え、かつ、フレット３０の上面より僅かに弦１８を浮かせて支持するための溝が設けられたナット（上駒）３４が固定されている。ブリッジ２８には、弦１８の後端（終端）近くで、弦１８をフレット３０の上面より僅かに浮かせて支持するためのサドル（下駒）３５が固定されている。なお、楽器の種類によってはフレット３０が存在しないものもある。
【００２６】
弦１８は、ナット３４とサドル３５の間、もしくは、指板３２上のフレット３０とサドル３５の間で振動する。また、指板３２上の所定の場所で弦１８を押さえることで、フレット３０とサドル３５の間の弦長が調節され、所定の音高（ピッチ）を得ることができる。弦１８に振動を付与する態様としては、弦１８の押さえた指とサドル３５間の所定の位置で指を弾く態様や、弓などで擦ることで振動のきっかけを与える態様がある。
【００２７】
表板２０のブリッジ２８の前方における各弦１８の下方には、ボディ１２内部で共鳴した音を外部に導くためのサウンドホール（響穴）３６が設けられている。表板２０と裏板２４のボディ１２内部側の面には、それぞれ補強のためのブレイス（力木、響木）３８Ａ、３８Ｂが取り付けられている。なお、ブレイスの形状や配置については楽器の種類によって様々である。
【００２８】
以上の構成において、弦楽器１０の演奏を行うべく弦１８に振動を与えると、弦１８の振動がサドル３５、ブリッジ２８を介して表板２０に伝達され、それによってボディ１２の内部空間において共鳴が発生し、サウンドホール３６から楽音を発する。
【００２９】
弦楽器１０は、ボディ１２の内部で共鳴した音を集音するためにマイクユニット４０を備えている。マイクユニット４０をボディ１２に取り付けるための構成については後で詳しく説明するが、マイクユニット４０は、ボルトとナットの締結によってボディ１２の内部においてサウンドホール３６から離れた位置となるエンド部１２ａ（ネック１４側とは反対側の端部）に形成された取付孔４８に固定される。
【００３０】
マイクユニット４０は、双指向性を有するコンデンサマイク（以下、双指向性マイクという）４２を備えている。双指向性マイク４２は、ボディ１２の内部で共鳴した音を電気信号に変換して出力する。
【００３１】
マイクユニット４０の先端には、双指向性マイク４２の出力信号を出力する出力端子（ピンジャック）４４が設けられている。出力端子４４は、マイクユニット４０がボディ１２に取り付けられた状態においてボディ１２の外部に配置される。出力端子４４には、マイクケーブル（不図示）の一端に設けられるマイク側端子（ピンプラグ）が挿入、接続される。
【００３２】
マイクケーブルの他端に設けられる装置側端子は、プリアンプユニット５０に設けられる入力端子（不図示）に挿入、接続される。プリアンプユニット５０は、双指向性マイク４２の出力信号を増幅して、所定の信号処理を施した信号を出力する。
【００３３】
プリアンプユニット５０は、不図示のケーブルを介して外部音響拡声装置５２と電気的に接続されており、プリアンプユニット５０の出力信号が外部音響拡声装置５２に入力される。外部音響拡声装置５２は、入力された信号を増幅して音波に変換して出力する。
【００３４】
次に、双指向性マイク４２の指向特性について図３を参照して説明する。図３は、双指向性マイク４２の指向特性を示した図である。
【００３５】
双指向性マイク４２は、音波によって振動するダイアフラム（振動板）４６を備えており、ダイアフラム４６（図３参照）に垂直な方向を指向軸（ダイアフラム中心軸）Ｌとし、指向軸Ｌに沿った前後方向（ダイアフラム４６の正面及び背面方向）の感度が最大となり、指向軸Ｌに垂直な方向（ダイアフラム４６に平行な方向）の感度が最小（理論的にはゼロ）となる指向特性を有している。すなわち、双指向性マイク４２は、略８の字状の指向特性を有している。
【００３６】
双指向性マイク４２とサウンドホール３６とは、次のような位置関係にある。すなわち、双指向性マイク４２の指向軸Ｌは、サウンドホール３６の開口する面（すなわち、ボディ１２の表板２０）に対して平行かつサウンドホール３６が形成される方向（双指向性マイク４２とサウンドホール３６の中心を結ぶ方向；図３において弦楽器１０の長手軸Ｘに沿った方向）に対して垂直な方向に配置される。換言すれば、双指向性マイク４２の指向軸Ｌは、ダイアフラム４６を含む平面がサウンドホール３６に対して垂直に交差するように配置される。このような構成によれば、ハウリングの原因となるサウンドホール３６からボディ１２内に入り込む外部音に対する感度が低くなるので、ハウリングを効果的に抑えることが可能となる。
【００３７】
図４は、プリアンプユニット５０の構成を示すブロック図である。図４に示すように、プリアンプユニット５０は、プリアンプ５４、周波数特性補正回路５６、及びハウリング抑制回路５８を備え、双指向性マイク４２の出力信号をプリアンプ５４で増幅して、周波数特性補正回路５６及びハウリング抑制回路５８によって所定の信号処理を施した信号を外部音響拡声装置５２に出力する。
【００３８】
周波数特性補正回路５６は、プリアンプ５４を介して入力された双指向性マイク４２の出力信号の周波数特性を補正する。具体的には、周波数特性補正回路５６は、双指向性マイク４２の周波数特性とは略逆の周波数特性を有する傾斜フィルタを備えており、この傾斜フィルタを介した信号を出力することにより、双指向性マイク４２の出力信号の周波数特性を平坦化する。周波数特性補正回路５６から出力された信号はハウリング抑制回路５８に入力される。
【００３９】
図５は、周波数特性補正回路５６に設けられる傾斜フィルタの周波数特性の一例を示した図である。図５に示した傾斜フィルタは、周波数が高くなるにつれて振幅ゲインが徐々に小さくなる周波数特性を有している。一般に双指向性マイク４２の出力信号は、周波数が高くなるにつれて振幅ゲインが大きくなる周波数特性を有しており、プリアンプユニット５０において双指向性マイク４２の出力信号をそのまま増幅して外部音響拡声装置５２に出力すると、高周波帯域が強調された音色となり楽器の本来持つ音色を損なう要因となる。そこで、周波数特性補正回路５６は、双指向性マイク４２の周波数特性とは略逆の周波数特性を有する傾斜フィルタを介した信号を出力することにより、双指向性マイク４２の出力信号の周波数特性を平坦化することができ、楽器の本来持つ音色を損なうことなく忠実に再現することが可能となる。
【００４０】
ハウリング抑制回路５８は、入力された信号に含まれるハウリング周波数を検出し、検出されたハウリング周波数を含む周波数成分を抑制した信号を出力する。
【００４１】
本実施形態では、双指向性マイク４２の指向軸Ｌはサウンドホール３６が配置される方向（図３において弦楽器１０の長手軸Ｘに沿った方向）に対して垂直な方向に配置されるので、サウンドホール３６から双指向性マイク４２に到達する音に対する感度を低くすることができる。しかし、弦楽器１０の表板２０などを透過、もしくはサウンドホール３６から双指向性マイク４２に直接到達する経路をとらずに、ボディ１２の内部で反射を繰り返し双指向性マイク４２に到達する音も存在する。このような音のレベルが高ければ、ハウリングを防止することができない場合が生ずる。また、楽器の種類や会場などの影響で外部環境が変化した場合にもハウリングが発生する場合も考えられる。これらを要因としたハウリングをより確実に防止するために、周波数特性補正回路５６の後段にはハウリング抑制回路５８が設けられている。
【００４２】
ハウリング抑制回路５８は、ノッチフィルタ６０、ノッチ制御部６２、及びハウリング検出部６４を備えている。
【００４３】
ノッチフィルタ６０は、例えば図６に示される周波数特性を有するフィルタであり、ある特定の周波数（ノッチ周波数）を中心周波数とする周波数成分を減衰させる。ノッチフィルタ６０はノッチ周波数を可変できるように構成されている。ノッチ周波数は、後述するノッチ制御部６２の制御に従って設定される。
【００４４】
ハウリング検出部６４は、入力信号（周波数特性補正回路５６の出力信号）を取り込み、ハウリングが発生している周波数（ハウリング周波数）検出する。具体的には、入力信号に対して一定時間毎にＦＦＴ解析を行い、そのピークレベルがある一定以上の場合、そのピーク周波数をハウリング周波数として検出して出力する。ハウリング検出部６４から出力されたハウリング周波数はノッチ制御部６２に入力される。
【００４５】
ノッチ制御部６２は、ハウリング検出部６４で検出されたハウリング周波数に基づき、ノッチフィルタ６０のノッチ周波数を制御する。具体的には、ノッチフィルタ６０のノッチ周波数がハウリング検出部６４で検出されたハウリング周波数となるように制御を行う。
【００４６】
なお、ノッチフィルタ６０の減衰量やノッチ幅（ノッチ周波数を中心とした減衰させる近傍の周波数幅）も可変できるように構成されており、これらもノッチ制御部６２の制御に従って設定される。例えば、ノッチフィルタ６０の減衰量やノッチ幅はユーザの操作に応じてノッチ制御部６２が変更するようにしてもよい。
【００４７】
また、ノッチフィルタ６０は、図６に示すような周波数特性となるフィルタ機能を、有効とする有効状態（ＯＮ状態）と、無効とする無効状態（ＯＦＦ状態）とに切り替え可能に構成されていてもよい。ノッチフィルタ６０を有効状態とした場合は、入力信号からノッチ周波数を中心として周波数成分を除去して出力する。一方、ノッチフィルタ６０を無効状態とした場合は、入力信号をそのまま出力する。ノッチフィルタ６０の切り替えは、例えばユーザの操作に応じてノッチ制御部６２が変更するようにしてもよい。また、ハウリング検出部６４でハウリング周波数が検出されてから一定時間経過するまではノッチフィルタ６０を有効状態とし、一定時間経過後は無効状態としてもよい。この場合、急激に発生したハウリングを抑制しつつ、音質の劣化を抑制することが可能となる。
【００４８】
ノッチフィルタ６０から出力された信号は、プリアンプユニット５０の出力として外部音響拡声装置５２に出力される。外部音響拡声装置５２は、プリアンプユニット５０（ノッチフィルタ６０）から出力された信号を音波に変換して出力する。これにより、双指向性マイク４２で集音された弦楽器１０の楽音は、外部音響拡声装置５２によって拡声される。
【００４９】
以上の如く構成される本実施形態によれば、双指向性マイク４２の指向軸Ｌは、サウンドホール３６の開口する面に対して平行かつサウンドホール３６が形成される方向に対して垂直な方向に配置される。すなわち、双指向性マイク４２の感度が最小となる方向がサウンドホール３６を向くようになるので、サウンドホール３６からボディ１２内に侵入する音に対する感度が低くなり、ハウリングを効果的に抑えることが可能となる。また、サウンドホール３６が形成される方向以外については感度が高いので、ボディ１２の内部の広い範囲の音響をバランス良く捉えることが可能となる。これにより、ハウリングの原因となるサウンドホール３６からボディ１２内に入り込む外部音についてはキャンセルされるので、ハウリングを起こすことなくボディ１２の内部で共鳴する楽音を集音することが可能となり、弦楽器１０が発する本来の楽音を忠実に再現することができる。
【００５０】
なお、双指向性マイク４２の指向軸Ｌは、サウンドホール３６の開口する面に対して平行かつサウンドホール３６が形成される方向に対して垂直な方向に配置されていることが好ましいが、本発明はこの構成に限らず、同様の効果が得られるのであれば、指向軸Ｌが上記方向に沿って配置されていればよく多少ずれていてもよい。
【００５１】
また、本実施形態によれば、プリアンプユニット５０に周波数特性補正回路５６を備えたので、双指向性マイク４２の出力信号の周波数特性を平坦化することができる。これにより、楽器の本来持つ音色を損なうことなく忠実に再現することができるという効果をより一層顕著なものとすることができる。
【００５２】
また、本実施形態によれば、プリアンプユニット５０にハウリング抑制回路５８を備えたので、ボディ１２の内部で反射した外部音によってハウリングが発生する場合でも、ハウリング抑制回路５８でハウリングが抑制されるので、ハウリングを確実かつ安定的に防止することができる。特に本実施形態では、ハウリングが起こっている周波数が変化してもその変化に追従しながらハウリングを抑えることができるので、楽器の種類や会場などの影響で外部環境が変化した場合でも効果的にハウリングを抑えることが可能となる。
【００５３】
また、本実施形態では、ノッチフィルタ６０は、そのフィルタ機能を有効状態と無効状態とに切り替え可能に構成されていることが好ましい。ノッチフィルタ６０を不必要に使用すると、ノッチ周波数（すなわち、ハウリング周波数）を中心とした周波数帯域が弱められた音色となるため本来の楽器の音色とかけ離れてしまう場合がある。これに対し、上記構成によれば、ユーザの好みや使用状況に応じてノッチフィルタ６０のフィルタ機能を有効状態としたり無効状態としたりすることができる。
【００５４】
次に、本発明の特徴的部分であるマイクユニット４０を構成するコネクタの取付構造について説明する。
【００５５】
本実施形態において、マイクユニット４０は、ボルトとナットの締結によりボディ１２のエンド部１２ａに形成された取付孔４８にコネクタが固定されるものであるが、その固定力が弱いと、弦楽器１０の演奏中などにマイクユニット４０が軸周りに回転して、双指向性マイク４２の指向軸Ｌとサウンドホール３６との位置関係がずれてしまい、ハウリングを効果的に抑えることができなくなる場合がある。そのため、マイクユニット４０のコネクタは、被取付部材であるボディ１２に対して安定かつ確実に固定されている必要がある。そこで、マイクユニット４０は、以下のような構成を有することにより、ボディ１２に対して安定かつ確実に固定できるようになっている。
【００５６】
図７は、マイクユニット４０の構成を示した外観図である。図７に示すように、マイクユニット４０は、双指向性マイク４２を保持する樹脂製のマイクホルダ７０と、マイクホルダ７０と一体的に結合され、ボディ１２に対する取付部を構成するコネクタ７２とを備えている。双指向性マイク４２の指向軸Ｌは、マイクユニット４０の長手軸に対して垂直方向を向いている。なお、マイクホルダ７０は、樹脂製のものに限らず、例えば金属製で構成されていてもよい。マイクホルダ７０を金属製で構成する態様によれば、電気的な外来ノイズの影響を少なくすることができる。また、外観上高級感を持たせることができる。
【００５７】
図８は、マイクユニット４０を構成するコネクタ７２の構成を示した外観図である。図９は、図８に示したコネクタ７２の分解斜視図である。
【００５８】
図８及び図９に示すように、コネクタ７２は、コネクタ本体７４と、位置決めスペーサ７６と、位置決めナット７８と、ワッシャー８０と、固定ナット８２と、カバー８４とを備え、これらは高い強度が要求されることから金属で構成されている。
【００５９】
コネクタ本体７４は、ボディ１２のエンド部１２ａに形成された取付孔４８に挿通される円筒状の軸部８６と、軸部８６の基端側に設けられ、マイクホルダ７０が装着されるホルダ装着部８８とを備えている。
【００６０】
ホルダ装着部８８は、マイクホルダ７０の先端部に設けられた先端開口部（不図示）の内径と略同一の外径を有し、その外周面にはマイクホルダ７０の周方向の位置決めを行うための凸部１０２が設けられている。この凸部１０２は、ホルダ装着部８８の外周面の周方向に複数設けられていてもよい。マイクホルダ７０の先端開口部の内面には、ホルダ装着部８８の外周面の凸部１０２に対応する形状を有する凹部（不図示）が設けられており、凸部１０２と凹部とが嵌合するようにマイクホルダ７０の先端開口部にホルダ装着部を装着することで、コネクタ本体７４に対して双指向性マイク４２の指向軸Ｌが常に一定方向となるようにすることが可能となる。なお、マイクホルダ７０をホルダ装着部８８に固定するための固定手段としては、凹凸嵌合に限らず、接着やネジ止めなどの固定手段を用いてもよい。
【００６１】
ホルダ装着部８８の外周面には、径方向に突出した環状のフランジ部９０が設けられている。ホルダ装着部８８にマイクホルダ７０を装着する際、マイクホルダ７０をフランジ部９０に当接することにより、マイクホルダ７０の基端位置を位置決めすることができる。また、ホルダ装着部８８の基端面には、双指向性マイク４２と電気的に接続するための電気接続用の接点９２ａ、９２ｂが設けられる。
【００６２】
軸部８６は、軸方向の途中位置（中央よりも先端側の位置）に形成された段差部９４よりも基端側に設けられた第１の雄ネジ部（大径部）９６と、段差部９４よりも先端側に設けられ第１の雄ネジ部９６よりも外径が小さい第２の雄ネジ部（小径部）９８とを備えている。第１の雄ネジ部９６は順ネジ及び逆ネジの一方のネジからなり、且つ第２の雄ネジ部９８は順ネジ及び逆ネジの他方のネジからなる。本例では、第１の雄ネジ部９６は逆ネジからなり、第２の雄ネジ部９８は順ネジからなるが、逆ネジと順ネジがそれぞれ逆であってもよい。
【００６３】
第２の雄ネジ部９８には、ボディ１２の外部から双指向性マイク４２の振動板４６（すなわち指向軸Ｌの方向）を確認するための指標となる指標孔１００が設けられている。この指標孔１００は、固定ナット８２を締め付ける際の工具の取り付けにも利用することができる。また、マイクユニット４０をボディ１２に取り付けた後は、後述するカバー８４で覆い隠されるために美観を損ねることもない。なお、指標としては、ボディ１２の外部から視認可能なものであればよく、例えばマーカなどであってもよい。
【００６４】
指標孔１００は、ホルダ装着部８８に設けられる凸部１０２に対する相対位置関係が一定となる位置に設けられる。例えば図９に示すように、指標孔１００と凸部１０２はコネクタ本体７４の周方向の位置が同一位置となるように配置される。これにより、マイクユニット４０の組み立て時に双指向性マイク４２の指向性が必ず、弦楽器１０のボディ１２の外部から確認可能な指標１００と同じ位置となる。
【００６５】
位置決めスペーサ７６は、軸部８６が挿通される円筒状の部品であり、位置決めナット７８とフランジ部９０との間に介在される。位置決めスペーサ７６を用いることにより、個々に調整することなく位置決めナット７８を所定の指定位置に容易に配置することが可能となる。また、軸方向の長さ（高さ）が異なる複数の位置決めスペーサ７６を用意しておくことにより、楽器の種類に応じてマイクユニット４０の取付位置（軸方向の位置）を調整することができる。
【００６６】
位置決めナット７８は、第１の雄ネジ部９６と螺合する第１の雌ネジ部１０６を有する。また、位置決めナット７８の一方の端面（先端面）の周囲部には、固定ナット８２側（被取付部材側）に向かって突出して形成され、ボディ１２の内面に係合する楔状の係合突起１０８が設けられている。この係合突起１０８は、位置決めナット７８の周方向に１８０度対向する位置に２つ設けられているが、これに限らず、１つでもよいし、３つ以上であってもよい。
【００６７】
ワッシャー８０は、ボディ１２のエンド部１２ａの取付孔４８に挿通された軸部８６の突出部分（第２の雄ネジ部９８）に挿通され、ボディ１２の外面と固定ナット８２との間に介在される薄い円板状の部品である。ワッシャー８０としては、平ワッシャー、スプリングワッシャー、あるいはこれらを複数組み合わせて用いてもよい。
【００６８】
固定ナット８２は、第２の雄ネジ部９８と螺合する第２の雌ネジ部１１０を有する。固定ナット８２は、ボディ１２の取付孔４８に挿通された軸部８６の突出部分（第２の雄ネジ部９８）にワッシャー８０を介在させて螺合されることによって締め付け固定される。
【００６９】
カバー８４は、第２の雄ネジ部９８と螺合する第３の雌ネジ部１１２を有する。また、カバー８４は、基端側に固定ナット８２を内部に収容可能な空間を有する円筒部１１４を有する。
【００７０】
以上のように構成されるマイクユニット４０のコネクタ７２をボディ１２に対して取り付ける場合には、図９に示すように、コネクタ７２の軸部８６の先端側から位置決めスペーサ７６を介在させて位置決めナット７８を第１の雄ネジ部９６に螺合した後、ボディ１２の内側からエンド部１２ａに形成された取付孔４８に軸部８６を挿通する。そして、ボディ１２の取付孔４８に挿通された軸部８６の突出部分にワッシャー８０を介在させて固定ナット８２を第２の雄ネジ部９８に螺合し、位置決めナット７８の係合突起１０８がボディ１２の内部にある程度食い込む状態となるまで締め付け固定する。さらに、位置決めナット７８の係合突起１０８がボディ１２の内部で食い込んだ状態で固定ナット８２が回らないように押えながらコネクタ本体７４（軸部８６）を締め付け方向に回す。このとき、第１の雄ネジ部９６及び第２の雄ネジ部９８は順ネジ及び逆ネジのうち互いに異なるネジからなるので、固定ナット８２と位置決めナット７８とは相対的に近づく方向に移動する。これにより、コネクタ７２はボディ１２に対して強固に取り付けられる。
【００７１】
そして、軸部８６の先端からカバー８４を挿入して第２の雄ネジ部９８に螺合させることにより、カバー８４の円筒部１１４の内部に固定ナット８２が収容される。これにより、カバー８４で固定ナット８２を覆い隠すことができ、固定ナット８２に外力が直接作用することを防ぐことができ、弦楽器１０の演奏中に固定ナット８２が緩んでしまう事態を未然に防止することができる。また、このカバー８４に楽器演奏用のストラップを折りつけることで、弦楽器の演奏を用意にすることができる。
【００７２】
このように本実施形態によれば、コネクタ本体７４の軸部８６には順ネジ及び逆ネジのうち互いに異なるネジからなる第１の雄ネジ部９６及び第２の雄ネジ部９８が設けられているので、コネクタ本体７４の軸部８６を固定ナット８２及び位置決めナット７８に対して相対的に回転させると固定ナット８２と位置決めナット７８とは互いに近づく方向に移動し、コネクタ７２がボディ１２に対して強固に取り付けられる。これにより、被取付部材であるボディ１２に対して安定かつ確実に固定することができる。
【００７３】
特に本実施形態においては、位置決めナット７８にはボディ１２の内面に係合する楔状の係合突起１０８が設けられ、位置決めナット７８がボディ１２に対して機械的に固定された状態で締め付け固定されるため、係合突起１０８が設けられない場合に比べてコネクタ７２をボディ１２に対して更に強固に取り付けることができる。
【００７４】
なお、本実施形態では、位置決めナット７８に係合突起１０８が設けられた態様を示したが、本発明はこれに限らない。例えば、位置決めナット７８の固定ナット８２側（ボディ１２側）の端面に、位置決めナット７８を構成する金属よりも高い摩擦係数を有する高摩擦部材（例えばゴムなど）を設けた態様も採用することができる。この態様によれば、位置決めナット７８がボディ１２に対して摩擦係合した状態で締め付け固定されるため、金属製のナットを用いる場合に比べてコネクタ７２をボディ１２に対して強固に取り付けることが可能となる。
【００７５】
なお、本実施形態では、マイクユニット４０は、ボディ１２のエンド部１２ａ（ネック１４側とは反対側の端部）に取り付けた構成を示したが、これに限らず、例えば、ボディ１２内部のヒール部１２ｂ（ネック１４側の端部）に取り付けてもよい。エンド部１２ａやヒール部１２ｂは、弦楽器１０のボディ１２の構造上もっとも強度の高い場所であり、マイクユニット４０を安定的に固定することができる。また、サウンドホール３６とマイクユニット４０との間の距離を確保できるので、マイクユニット４０によるボディ１２内部の共鳴音の集音効率を向上させることができる。
【００７６】
また、本実施形態では、双指向性マイク４２の出力信号は、双指向性マイク４２と一体的に構成されたマイクユニット４０の出力端子４４を通して弦楽器１０の外部に導出されるので、ボディ１２の内部を通る配線（信号線）が不要となり、ボディ１２の内部における不要な振動による雑音を効果的に抑制することが可能となる。
【００７７】
以上、本発明の実施形態について説明したが、本発明は、以上の例には限定されず、本発明の要旨を逸脱しない範囲において、各種の改良や変形を行ってもよいのはもちろんである。以下、いくつかの変形例について説明する。
【００７８】
［変形例１］
上述した実施形態では、プリアンプユニット５０は、マイクユニット４０とは別に構成され、ボディ１２の外部に配置される構成としたが、マイクユニット４０にプリアンプユニット５０を内蔵した構成としてもよい。この場合、プリアンプユニット５０を内蔵するマイクユニット４０がボディ１２の内部に配置される。
【００７９】
また、プリアンプユニット５０がマイクユニット４０とは別に構成される場合、プリアンプユニット５０がボディ１２の内部に配置されてもよいことはいうまでもない。
【００８０】
［変形例２］
上述した実施形態では、ボディ１２の表板２０にサウンドホール３６が設けられた弦楽器１０に対する適用例について説明したが、弦楽器の種類によっては、例えば図１０に示すように、サウンドホール３６が、ボディ１２の表板２０ではなく側板２２に設けられているものもある。このような構成を有する弦楽器１０において、図１１に示すように、双指向性マイク４２の指向軸Ｌが、サウンドホール３６の開口する面（すなわち、ボディ１２の側板２２）に対して平行かつサウンドホール３６が形成される方向（双指向性マイク４２とサウンドホール３６の中心を結ぶ方向）に対して垂直な方向に配置されるようにする。換言すれば、双指向性マイク４２のダイアフラム（図１１において不図示）はボディ１２の表板２０に平行に配置され、ダイアフラムを含む平面がサウンドホール３６に対して垂直に交差するように配置される。これによって、サウンドホール３６からボディ１２内に侵入する音に対する感度が低くなり、ハウリングを効果的に抑えることが可能となる。したがって、上述した実施形態と同様の効果を得ることができる。
【００８１】
［変形例３］
上述した実施形態では、ウクレレやアコースティックギターなどのように共鳴胴にサウンドホールが１つ設けられる弦楽器に本発明が適用される場合を説明したが、共鳴胴に複数のサウンドホールが設けられる弦楽器、例えばバイオリンやチェロなどにも適用することができる。
【符号の説明】
【００８２】
１０…弦楽器、１２…ボディ、１４…ネック、１６…ヘッド、１８…弦、２０…表板、３６…サウンドホール、４０…マイクユニット、４２…双指向性マイク、４８…取付孔、５０…プリアンプユニット、５２…外部音響拡声装置、６２…ダイアフラム、５４…プリアンプ、５６…周波数特性補正回路、５６…ハウリング抑制回路、６０…ノッチフィルタ、６２…ノッチ制御部、６４…ハウリング検出部、７０…マイクホルダ、７２…コネクタ、７４…コネクタ本体、７６…位置決めスペーサ、７８…位置決めナット、８０…ワッシャー、８２…固定ナット、８４…カバー、８６…軸部、８８…ホルダ装着部、９０…フランジ部、９４…段差部、９６…第１の雄ネジ部、９８…第２の雄ネジ部、１００…指標孔、１０２…凸部、１０６…第１の雌ネジ部、１０８…係合突起、１１０…第２の雌ネジ部、１１２…第３の雌ネジ部、１１４…収容部
【要約】
【課題】被取付部材に形成された取付孔に対してコネクタを安定かつ確実に固定することができるコネクタ取付構造及び弦楽器を提供する。
【解決手段】ボディ１２に形成された取付孔４８にコネクタ７２を取り付けるコネクタ取付構造であって、取付孔４８に挿通される軸部８６を有し、軸部８６の基端側に順ネジ及び逆ネジの一方のネジからなる第１の雄ネジ部９６が形成され、且つ軸部８６の先端側に順ネジ及び逆ネジの他方のネジからなる第２の雄ネジ部９８が形成されるコネクタ本体７４と、ボディ１２の一方側に設けられ、第１の雄ネジ部９６に螺合する第１の雌ネジ部１０６を有し、ボディ１２に対してコネクタ本体７４を位置決めする位置決めナット７８と、ボディ１２の他方側に設けられ、第２の雄ネジ部９８に螺合する第２の雌ネジ部１１０を有し、ボディ１２に対してコネクタ本体７４を固定する固定ナット８２とを備える。
【選択図】図９【図１】
0005857359.tif 000002
【図２】
0005857359.tif 000003
【図３】
0005857359.tif 000004
【図４】
0005857359.tif 000005
【図５】
0005857359.tif 000006
【図６】
0005857359.tif 000007
【図７】
0005857359.tif 000008
【図８】
0005857359.tif 000009
【図９】
0005857359.tif 000010
【図１０】
0005857359.tif 000011
【図１１】
0005857359.tif 000012